(57)【特許請求の範囲】
【請求項１】
既設の建造物の隣接した支柱間にある複数の窓枠からなる
連段窓が落下することを防止する裝置であって、  
既設の建造物の隣接したふたつの支柱に結合された支柱結合部材（Ｂ）と、
連段窓の上枠に結合された上枠結合部材（Ｋ）と、連結部材を有し、
支柱結合部材（Ｂ）と上枠結合部材（Ｋ）とが、前記連結部材を介して結合されていて、
さらに、連段窓の無目に結合された無目結合部材（Ｍ）と、
連段窓を構成する窓枠の障子（Ｓ）に結合された障子結合部材（ＷＳ）を有し、
上枠結合部材（Ｋ）と障子結合部材（ＷＳ）、および、無目結合部材（Ｍ）と障子結合部材（ＷＳ）とが、連段窓を構成する窓枠の窓を開閉する方向に可動する補助部材を介して結合されている、装置。
【請求項２】
連段窓の方立に結合された方立結合部材（Ｈ）をさらに有し、
上枠結合部材（Ｋ）と方立結合部材（Ｈ）、または、無目結合部材（Ｍ）と方立結合部材（Ｈ）で、連段窓を構成する窓枠の上枠および該窓枠の一方の縦枠、または、連段窓を構成する窓枠の上枠および該窓枠の両方の縦枠を補強している、請求項１の装置。
【請求項３】
請求項１に記載された裝置による、既設の建造物の隣接した支柱間にある複数の窓枠からなる連段窓の落下を防止する施工方法であって、少なくとも、以下の１から６の工程を有する施工方法。
１  既設の建造物の隣接したふたつの支柱に支柱結合部材（Ｂ）を結合する工程、
２  連段窓の上枠に上枠結合部材（Ｋ）を結合する工程、
３  支柱結合部材（Ｂ）と上枠結合部材（Ｋ）を、連結部材を介して結合する工程、
４  連段窓の無目に無目結合部材（Ｍ）を結合する工程、
５  連段窓を構成する窓枠の障子（Ｓ）に障子結合部材（ＷＳ）を結合する工程、
６  上枠結合部材（Ｋ）と障子結合部材（ＷＳ）、および、無目結合部材（Ｍ）と障子結合部材（ＷＳ）とを、可動する補助部材を介して結合する工程。
【請求項４】
請求項２に記載された裝置による、既設の建造物の隣接した支柱間にある複数の窓枠からなる連段窓の落下を防止する施工方法であって、少なくとも、以下の１から７の工程を有する施工方法。
１  既設の建造物の隣接したふたつの支柱に支柱結合部材（Ｂ）を結合する工程、
２  連段窓の上枠に上枠結合部材（Ｋ）を結合する工程、
３  支柱結合部材（Ｂ）と上枠結合部材（Ｋ）を、連結部材を介して結合する工程、
４  連段窓の無目に無目結合部材（Ｍ）を結合する工程、
５  連段窓を構成する窓枠の障子（Ｓ）に障子結合部材（ＷＳ）を結合する工程、
６  上枠結合部材（Ｋ）と障子結合部材（ＷＳ）、および、無目結合部材（Ｍ）と障子結合部材（ＷＳ）とを、可動する補助部材を介して結合する工程、
７  連段窓の方立に方立結合部材（Ｈ）を結合し、上枠結合部材（Ｋ）と方立結合部材（Ｈ）、または、無目結合部材（Ｍ）と方立結合部材（Ｈ）で、連段窓を構成する窓枠の上枠および該窓枠の一方の縦枠、または、連段窓を構成する窓枠の上枠および該窓枠の両方の縦枠を補強する工程。
【発明の詳細な説明】
【技術分野】
【０００１】
本発明は、高所にある連段窓が崩壊して落下する危険を防止する安全対策技術である。具体的には、災害避難所で利用される学校の体育館の明かり取りのために高所に設置された連段窓が崩壊して落下することを防止する技術である（図１）。
【０００２】
連段窓とは、隣り合う複数の窓枠の縦枠相互を方立で連結することで複数の窓枠を連設し（連窓）、連窓の上枠または下枠に亘って無目を取付け、この無目に上下の窓枠を取付けて上下に複数段としたものである。
【０００３】
東日本大震災後の調査によると、体育館の窓ガラス被害２２０件のうち、窓枠ごと落下したケースが３４件あったとされる。その被害は進行している体育館の耐震化と無関係のようで、窓枠ごと落下したケースの６割超は、建物の構造部分の耐震化が済んでいる体育館で起きていた。ゆえに、構造の耐震化とは別途の対策が急がれている。
【０００４】
避難所で利用される小中学校の体育館は、明かり取りのため高所に連段窓がある。連段窓がそれを構成する個々の窓枠に分離され、それら窓枠が落下すると、きわめて危険で、避難所への避難民に衝突して受傷することが心配される。
【０００５】
さらに、連段窓を構成する個々の窓枠が落下する過程や地上で壊れた時に、周囲にガラス破片をまき散らす。それが地上に散乱して避難所の機能を著しく阻害する恐れもある。
【０００６】
東日本大震災の被害調査では、体育館の構造別での比較にて、鉄筋コンクリート造りの階下部に鉄骨造りの２階を乗せる複合型で窓の被害が大きい傾向があった。
【０００７】
地震時の窓枠上部の躯体には、地上地震波が体育館天井経由で伝わる。ゆえに、上部振動には、地上地震波に天井構造の振動が付加され、振動モードが窓枠下部のそれと異なってくる。そのため、窓枠上部と躯体との結合部に応力が集中しやすい（図２）。
【０００８】
一方、近年、学校等の新設は多くない。学校体育館の高所の窓枠を調べてみると、古く腐食老朽化した「スチールサッシ」を耐候性のよい「アルミサッシ」に置換しているものがほとんどである。これは「改装サッシ」と称され、コンクリ基礎中の既設スチールサッシのベース鋼材、ベースコンクリート等を新規アルミサッシの躯体の一部として再利用している。基礎のコンクリ部分を取り払って置換するとなると工事が大がかりになるからである。
【０００９】
すなわち、既設スチールサッシのベース鋼材、ベースコンクリート等と新設アルミサッシとが、現場の手作業で接合されている。そのため、その古いスチール躯体とアルミサッシとを結合する部位の施工が不完全であると、破断を誘発するという弱点を抱えている。
【００１０】
前記の振動モードの違いによる応力集中がこの弱点を突いたため、鉄筋コンクリート造りの階下部に鉄骨造りの２階を乗せた複合型の体育館で窓枠落下の被害が発生したとおもわれる。
【００１１】
震災での被害事例から、窓枠を有する多くの建造物で、上からの支えがなくなった窓枠が落下するという潜在危険の教訓が得られたといえよう。特に連段窓のような重量のかさむ窓枠については問題である。
【００１２】
発明者はかかる状況に注目した。避難所で利用される小中学校の体育館は、明かり取りのため高所に連段窓があり、前述の問題が深刻である。そこで、連段窓上部の躯体との結合部に破断があったとしても、連段窓の上枠を他の構造物にも支持させるようにして、とにかく連段窓の上枠が落下することを避ける、という考えに行き着いた（図３−図４）。
【００１３】
そしてさらに、連段窓は左右に連窓結合する「方立」、上下を連段結合する「無目」という部材で個々の窓枠を結合しているが、窓枠が地震で個別に揺れて方立や無目に力が集中し、これらの破壊で個々の窓枠に分離されることにも注目した。
【００１４】
連段窓の上枠を支持するだけだと、連段窓を構成する個々の窓枠の分離で、分離された窓枠落下の危険が残留する。
【００１５】
ゆえに、連段窓の上枠を他の構造物に支持させた上で、さらに、個々の窓枠への分離も回避する、という二重の対策がなされるべきである。
【００１６】
この考え方がすでに提案されているか否かを、特許庁データベースで調査した。すなわち、ＩＰＤＬにて、『要約＋請求の範囲』に次のキーワードを有する特許検索を実施した（2015年3月10日実施）。
・サッシ  窓枠  連窓  連段窓
・落下防止  落下を防止
・方立  無目
【００１７】
検索で得られた特許に示された先行技術は、防犯・防火等で分野が違うか、または、「窓ガラスが障子から落下」、「障子が窓枠から落下」、の防止に関わるもので、「連段窓の窓枠全体の落下」の防止を課題としているものは発見できなかった。
【００１８】
さらに、検索サイト「Google」でも調査をおこなった（2015年3月10日実施）。すなわち、前記のキーワード群を適当に組み合わせ、たとえば「サッシ、連窓、連段窓、落下、脱落」等々を検索した。その結果、本発明の類似情報を示しているウェッブサイトは発見できなかった。
【００１９】
先行技術調査の過程で、以下の特許文献１−４が発見された。これらと本件発明との対比は後述する。なお、本件は特許文献５−６の技術を発展させ、発明したものである。
【００２０】
【特許文献１】特表2009-544872「吊下げ・・パネル・・耐震カーテンウォール」
【特許文献２】登録実用新案3179180「扉の倒れ防止機構」
【特許文献３】特開2008-57217「家屋における補強構造方法」
【特許文献４】特開2006-233756「窓枠およびこれを備えた窓」
【特許文献５】特願2015-036095「窓枠落下防止裝置ならびに窓枠落下防止施工法」
【特許文献６】特願2015-036096「窓枠落下防止裝置ならびに窓枠落下防止施工法」
【発明の開示】
【発明が解決しようとする課題】
【００２１】
本発明は、連段窓の全体が落下するのを防止する裝置ならびに該裝置による連段窓の落下防止施工法を提案するものである。本発明は、公知の「窓枠から」障子・窓ガラスの落下だけを防ぐ、あるいは、「障子から」窓ガラスの落下だけを防ぐ技術とは一線を画するものである。
【００２２】
また、連段窓が、それを構成する個々の窓枠に分離される問題にも注目し、個々の窓枠を左右に連窓結合する「方立」、上下を連段結合する「無目」という部材を強化し分離を防ぐことも課題とした。
【課題を解決するための手段】
【００２３】
本発明の装置は以下の［０１］および［０２］であり、施工法は［０３］および［０４］である。詳細は後述する。
【００２４】
［０１］    既設の建造物の隣接した支柱間にある複数の窓枠からなる連段窓が落下することを防止する裝置であって、既設の建造物の隣接したふたつの支柱に結合された支柱結合部材（Ｂ）と、連段窓の上枠に結合された上枠結合部材（Ｋ）と、連結部材を有し、支柱結合部材（Ｂ）と上枠結合部材（Ｋ）とが、前記連結部材を介して結合されていて、さらに、連段窓の無目に結合された無目結合部材（Ｍ）と、連段窓を構成する窓枠の障子（Ｓ）に結合された障子結合部材（ＷＳ）を有し、上枠結合部材（Ｋ）と障子結合部材（ＷＳ）、および、無目結合部材（Ｍ）と障子結合部材（ＷＳ）とが、連段窓を構成する窓枠の窓を開閉する方向に可動する補助部材を介して結合されている、装置である。
【００２５】
［０２］  連段窓の方立に結合された方立結合部材（Ｈ）をさらに有し、上枠結合部材（Ｋ）と方立結合部材（Ｈ）、または、無目結合部材（Ｍ）と方立結合部材（Ｈ）で、連段窓を構成する窓枠の上枠と縦枠の一方、または、上枠と縦枠の両方を補強しているのが好適である。
【００２６】
［０３］  施工法は、少なくとも、以下の１から６の工程を有する。すなわち、
１  既設の建造物の隣接したふたつの支柱に支柱結合部材（Ｂ）を結合する工程、
２  連段窓の上枠に上枠結合部材（Ｋ）を結合する工程、
３  支柱結合部材（Ｂ）と上枠結合部材（Ｋ）を、連結部材を介して結合する工程、
４  連段窓の無目に無目結合部材（Ｍ）を結合する工程、
５  連段窓を構成する窓枠の障子（Ｓ）に障子結合部材（ＷＳ）を結合する工程、
６  上枠結合部材（Ｋ）と障子結合部材（ＷＳ）、および、無目結合部材（Ｍ）と障子結合部材（ＷＳ）とを、可動する補助部材を介して結合する工程。
【００２７】
［０４］  施工法は、以下の７の工程をさらに有するものでもよい。すなわち、
７  連段窓の方立に方立結合部材（Ｈ）を結合し、上枠結合部材（Ｋ）と方立結合部材（Ｈ）、または、無目結合部材（Ｍ）と方立結合部材（Ｈ）で、連段窓を構成する窓枠の上枠と縦枠の一方、または、上枠と縦枠の両方を補強する工程。
【００２８】
もちろん、施工の実際においては、施工対象の連段窓の窓ガラス面にガラス飛散防止シートを貼ることも忘れてはならない。
【００２９】
図８と図９が、本発明裝置の施工現場を撮影した写真である。本発明の対象はこういった体育館の高所にある明かり取りとして設置された連段窓で、避難所に利用される小中学校の体育館の場合、建造物の支柱（１）間の距離（スパン距離）は、５−７ｍであり、その間に連段窓が配設されている。
【００３０】
連段窓は、たとえば、引き違いの二枚の窓ガラスを三組並べて配し（三連窓）、それを上下二段の段窓としたもので、この場合には窓ガラスは十二枚となる（図２２）。
【００３１】
まず、本発明においては、以下の第一から第三の態様にて、支柱結合部材（Ｂ）と上枠結合部材（Ｋ）とを連結させている。すなわち：
【００３２】
本発明裝置の第一態様として、建造物のひとつの支柱に結合する第一の支柱結合部材（Ｂ１）と、建造物の他の支柱に結合する第二の支柱結合部材（Ｂ２）とを、それぞれ連結部材（Ｊ）で結合してもよい（図３）。
【００３３】
ここで、第一の支柱結合部材（Ｂ１）と第二の支柱結合部材（Ｂ２）とが、ふたつの支柱に支柱結合部材（Ｂ）を構成している。
【００３４】
本発明裝置の第二態様として、支柱結合部材（Ｂ）の構成に、第一の支柱結合部材（Ｂ１）と第二の支柱結合部材（Ｂ２）とを連結する部材（Ｂ３）を加え、連結する部材（Ｂ３）と上枠結合部材（Ｋ）とが、連結部材（Ｊ）で結合する、としてもよい（図４）。
【００３５】
ここで、紐体（ＬＳ）を利用して、連結する部材（Ｂ３）と障子結合部材（ＷＳ）とを、紐体（ＬＳ）で結合してもよい（図１０）。
【００３６】
本発明裝置の第三態様として、支柱結合部材（Ｂ）の構成を、建造物の隣接したふたつの支柱に結合した支柱結合部材（Ｂ４）と、支柱結合部材（Ｂ４）に結合された補助部材（Ｂ５）とし、補助部材（Ｂ５）と上枠結合部材（Ｋ）とを紐体（Ｌ）を連結部材（Ｊ）として結合してもよい。
【００３７】
すなわち、図１６に例示するように、長尺のＣ型鋼である「Ｂ４」を、建造物の隣接したふたつの支柱に結合し、紐体（Ｌ）を通貫するための孔を有する部材「Ｂ５」を「Ｂ４」に結合し、その貫通孔に「Ｌ」を通貫させて、上枠結合部材（Ｋ）と結合した態様である。
【００３８】
連結部材（Ｊ）が紐体（Ｌ）であるときは、紐体（Ｌ）の材質は、ステンレスなどの耐候性のよい金属が望ましい。その理由は長期間、これといった保守をせずに置く可能性が高いからである。すなわち紐体（Ｌ）は、ステンレス製ワイヤーロープが好適だろう。
【００３９】
図５が図４の態様を実施した場合のイメージ斜視図である。ここで、第一の支柱結合部材（Ｂ１）は短尺のＣ型鋼で、これと建造物のひとつの支柱に穴あけしてボルトで結合している。第二の支柱結合部材（Ｂ２）も同様である。
【００４０】
第一の支柱結合部材（Ｂ１）と第二の支柱結合部材（Ｂ２）とは同じものでもよいし、異なる形態、異なる材質のものでよい。それらと支柱との結合は、穴あけしてボルトで結合する方法以外の、嵌合・締結・溶接などの公知の結合・接合法を現場状況にあわせて適宜採用してよい。
【００４１】
連結部材（Ｂ３）も様々な形態・材質のものでよい。たとえば、この連結部材（Ｂ３）を、図６と図１１に示すように、ワイヤーロープＢ３０としてもよい。もちろんワイヤーロープＢ３０は、耐候性のよいステンレス製が望ましい。
【００４２】
図７は、本発明装置の別態様の実施例図である。同図は、改装サッシが配設された現場での適用例で、既設の旧スチールサッシの設置金物に孔を穿孔し、かかる孔にボルトを通貫し、上枠結合部材（Ｋ）の一部を既設の設置金物に結合させている。
【００４３】
その上枠結合部材（Ｋ）は、既設の設置金物のほかにも、連結かん（Ｚ１）、紐体（Ｌ）を介して補助部材（Ｂ５）に結合している。
【００４４】
図７の別態様は、ここまでに説明した第一から第三態様にある「上枠結合部材（Ｋ）と支柱結合部材（Ｂ）との結合」に加えて、「既設の窓枠設置金物に孔を穿孔して、該孔にボルトを通貫し、上枠結合部材（Ｋ）を前記既設の窓枠設置金物に結合させている」ことを特徴としたものである。
【００４５】
次に本発明の連結部材（Ｊ）に関する別態様を説明する。ひとつの別態様として、連結部材（Ｊ）を板体（Ｚ）とし、支柱結合部材（Ｂ）と上枠結合部材（Ｋ）とを結合してもよい。（図１７参照）
【００４６】
支柱結合部材（Ｂ）は、建造物の隣接したふたつの支柱に結合された支柱結合部材で、これまで説明したようにＢ１からＢ３、あるいは、Ｂ４とＢ５で構成してもよい。支柱結合部材（Ｂ）の長尺長さは、ふたつの支柱間の長さにほぼ一致する。
【００４７】
上枠結合部材（Ｋ）も、連窓の窓枠の見付け方向に長いものであり、上枠結合部材（Ｋ）の幅も、連段窓の窓枠の見付け方向の長さにほぼ一致する。
【００４８】
一方、板体（Ｚ）は１０から３０ｃｍの長さの比較的短尺の金属部材（金属の板状部材、金属板）で、連段窓の見込み方向に支柱結合部材（Ｂ）と上枠結合部材（Ｋ）とを部分的に橋渡しするように連結させている。
【００４９】
このような部分的な橋渡し連結で、落下防止装置の施工を簡素化している。板体（Ｚ）は紐体（Ｌ）のように、（Ｂ）と（Ｋ）の間に遊びを持たせて結合するものでなく、窓枠周りの構造に直接付加されるので、構造を強化することもできる。
【００５０】
本発明の連結部材（Ｊ）に関する他の態様は、「連結かん」を用いたものである。これを図２１に示す。図２１では、前記別態様に加え、支柱結合部材（Ｂ）と上枠結合部材（Ｋ）それぞれに、環状の連結補助部材（Ｚ２）を結合させ、それらの間を連結かん（Ｚ１）で結んでいる。
【００５１】
連結かんは、環状部材の輪の一部にネジなどで開閉できる部分を設けたもので、施工が容易である。また、連結かん（Ｚ１）の個数や輪の径を選んで、柱結合部材（Ｂ）と上枠結合部材（Ｋ）との間に適切な遊びを持たせることができる。
【００５２】
連結かんのように、鎖（チェーン）の一部を容易に結合・開放できるようにした公知の部材があり、これを利用してもよい。これらは、「チェーンシャックル」、「チェーンカップリング」、「チェーンフック」などと呼称される。
【００５３】
連結部材（Ｊ）は、ここまでに説明した紐体（Ｌ）・板体（Ｚ）・連結かん（Ｚ１）に限定されず、施工対象ごとに適切な連結部材を用いて、柱結合部材（Ｂ）と上枠結合部材（Ｋ）とを連結すればよい。
【００５４】
また、支柱結合部材（Ｂ）の前記第一から第三の態様、および、既存設置金物を利用した別態様を含む選択肢とも組合せて、様々な現場状況に最適なものを選定して施工すればよい。
【００５５】
次に、本発明における「障子の落下防止」について説明する。連段窓を構成する窓枠には、窓ガラスをはめ込んだ障子（Ｓ）がある。この障子（Ｓ）についても、地震振動で分離されて落下する危険がある。
【００５６】
そこで、連段窓の無目に無目結合部材（Ｍ）、連段窓を構成する窓枠の障子（Ｓ）に障子結合部材（ＷＳ）を結合し、上枠結合部材（Ｋ）と上段の障子結合部材（ＷＳ１）、および、無目結合部材（Ｍ）と下段の障子結合部材（ＷＳ２）とを、それぞれ連段窓を構成する窓枠の窓を開閉する方向に可動する補助部材（Ｘ１〜Ｘ３、Ｙ１・Ｙ２）を介し結合する、とした（図１９）。
【００５７】
ここで補助部材（Ｘ１〜Ｘ３、Ｙ１・Ｙ２）と、それらが連段窓を構成する窓枠の窓を開閉する方向に可動することの説明は後述する。
【００５８】
まず、障子結合部材（ＷＳ）の結合態様を説明する。図１０は、連段窓（２）の中にある障子（Ｓ）の上部に、障子結合部材（ＷＳ）を結合し、その障子結合部材（ＷＳ）と連結部材（Ｂ３）とを紐体（Ｌ）を介して結合した例である。こうすれば、障子（Ｓ）の落下も防止できる。
【００５９】
図１２は、図１０のＢ３をワイヤーロープ（Ｂ３０）とし、上方の障子（Ｓ１）に障子結合部材（ＷＳ１）を結合し、その障子結合部材（ＷＳ１）を命綱となる紐体（ＬＳ）を介して結合させた例である。
【００６０】
連段窓では、窓枠同様に障子（Ｓ）も複数段で、下段の障子の落下防止も必要である。二段の場合を例に下段の障子（Ｓ２）の落下対策を説明する。
【００６１】
上段の障子（Ｓ１）に対しては、図１０や図１２の構成でよいが、下部の障子（Ｓ２）に対しては、連段窓（２）の上枠に結合する上枠結合部材（Ｋ）と下部の障子（Ｓ２）の障子結合部材（ＷＳ２）との間に距離があって、紐体（Ｌ）などをこれらと結合させると紐体（Ｌ）の長さが長くなって、明かり取り機能を損なうし、窓の開閉に邪魔になるという問題がある。
【００６２】
そこで、その問題を解決したものを図１３に示す。すなわち、連段窓の無目に下方の障子（Ｓ２）を支持できる部位「Ｔ」を選定し、その「Ｔ」に固定金物等によって懸架するようにＳ２の上部にワイヤーロープ「ＴＸ」を張る。この「ＴＸ」に、末端にワイヤーコースをつけてスライドしやすくした紐体（Ｌ）を通せばよい。
【００６３】
このようにすれば、紐体（Ｌ）の長さは短くてよく、ワイヤーコースを介して「ＴＸ」に滑るようにスライドできるので窓開閉に支障になることはない。他の複数段の下方の障子についても同様の策をとればよい。
【００６４】
別態様として、連段窓の無目にＬ型鋼などの無目結合部材（Ｍ）を結合し、それに上吊り式レール（Ｙ１）を連結し、そのレールに滑車でスライド移動できる「戸車（Ｙ２）」を用いてもよい（図１５）。この戸車（Ｙ２）が、可動する補助部材であって、Ｙ１に懸架されて窓枠内の窓を開閉する方向に転動する。
【００６５】
図１４が、上方・下方の障子Ｓ１・Ｓ２に結合する障子結合部材ＷＳ１とＷＳ２を、窓の外側に配設した施工計画の例図である。また、図２１は、それらを、窓の内側に配設するとした施工計画の例図である。
【００６６】
障子結合部材（ＷＳ１・ＷＳ２）、上吊り式レール（Ｙ１）、戸車（Ｙ２）の耐候性・保守性を考えると、窓の内側に配設する後者の方がより好適だろう。
【００６７】
このように、連段窓を構成する窓枠の障子（Ｓ１・Ｓ２）に結合された障子結合部材（ＷＳ１・ＷＳ２）を有し、上枠結合部材（Ｋ）と障子結合部材（ＷＳ１）、無目結合部材（Ｍ）と障子結合部材（ＷＳ２）とが、連段窓を構成する窓枠の窓を開閉する方向に可動する補助部材を介して結合されている。
【００６８】
本発明は、ここで示した「窓を開閉する方向に可動する補助部材」が付加され、これを含む、障子（Ｓ）を開閉可動するための「可動補助手段」が構成されていることが大きな特徴である。一部重複するが、これを再度説明する。
【００６９】
可動補助手段は（図１８参照）、上枠結合部材（Ｋ）または無目結合部材（Ｍ）に結合された、障子（Ｓ）の開閉長さで障子（Ｓ）の開閉方向に固定した紐体（Ｘ１）と、障子結合部材（ＷＳ）に結合された、前記紐体（Ｘ１）に懸架されて摺動する部材（Ｘ２）、Ｘ２でＸ１に懸架されて窓枠内の窓を開閉する方向に可動するワイヤー（Ｘ３）とからなる組合せが好適である。Ｘ２は、ワイヤーコースが好適である。
【００７０】
ワイヤーコースは、ワイヤー先端でワイヤーを折り返した部位に装着するもので、折返し板や折り返し円板（円盤）を備えた板型ワイヤーコース、円板型（円盤型）ワイヤーコース、および、Ｃ字型の折り返し部を備えたＣ字型ワイヤーコースなどが知られている。折返し円板やＣ字型折り返し部の表面がワイヤーに接触しても摩擦係数が小さく、ワイヤー上を摺動して窓枠内の窓を開閉する方向に可動するのに好適である。
【００７１】
また前述のように、可動補助手段は（図１５参照）、上枠結合部材（Ｋ）または無目結合部材（Ｍ）に結合された、障子（Ｓ）の開閉長さで障子（Ｓ）の開閉方向に固定した上吊り式レール（Ｙ１）と、障子結合部材（ＷＳ）に結合された、前記上吊り式レール（Ｙ１）に懸架されて転動する戸車（Ｙ２）とからなる組合せでもよい。上吊り式レール（Ｙ１）は、ハンガーレールとも呼称される。戸車（Ｙ２）は、ランナー、上吊り車とも呼称される。
【００７２】
上吊り戸や、上吊りサッシが公知であるが、これらとの違いは、障子の落下防止を補助する手段であるので、戸車（Ｙ２）の個数は少なくてよいことである。最少では障子（Ｓ）ひとつに対して戸車（Ｙ２）ひとつでよい。非常時に障子（Ｓ）が外れて落ちるのを防ぐ特殊な外れドメとして機能する。
【００７３】
また、上吊り戸や、上吊りサッシとは異なり、通常時は戸車（Ｙ２）には懸架重量をかけず、戸車（Ｙ２）を上吊り式レール（Ｙ１）上に非接触で浮上させた状態として配設するのが好適である。
【００７４】
紐体（Ｘ１）やワイヤー（Ｘ３）も同様に、通常時には自重を除き懸架重量をほとんどかけない、遊びをもたせた状態で配設するのが好適である。
【００７５】
図１９に、障子結合部材（ＷＳ）と上枠結合部材（Ｋ）または無目結合部材（Ｍ）とが、可動補助手段Ｘ１〜Ｘ３、Ｙ１・Ｙ２を介することで、窓開閉を可能にしつつ結合されていることを示す。図１９中のＢは、Ｂ１、Ｂ２、Ｂ３で構成してもよいし、Ｂ３をＢ３０（ワイヤーロープ）としてもよい。
【００７６】
連結部材を板体（Ｚ）として、上吊り式レール（Ｙ１）と戸車（Ｙ２）とからなる可動補助手段を、建造物の支柱側、すなわち内側に配設した例を図２０に示す。
【００７７】
以上のように、Ｘ２・Ｘ３、またはＹ２に例示される可動する補助部材が配設され、これを含む可動補助手段が構成され、上枠結合部材（Ｋ）または無目結合部材（Ｍ）と障子結合部材（ＷＳ）とが、可動する補助部材を介して結合されている、というのが本発明の特徴である。
【００７８】
このような可動する補助部材があるという特徴は、発見された特許文献１−４にも記載のないユニークなものである。
すなわち、特許文献１−４には、
(イ)窓枠結合部材と支柱結合部材とが２重相互フックを介しての結合（特許文献１）、(ロ)地震時の建具の倒れ防止にて、長尺状の部材を介して構造物基体と建具との結合（特許文献２）、(ハ)建造物の外枠体から内枠体の落下防止にて、支柱、支柱結合部材と枠とが、つつみ状のゴム体を介しての結合が、遊びを許して振動緩衝して結合することを含めて示され（特許文献３）、かつ、（ニ）改装サッシで既設サッシを既設窓枠設置部位の孔にボルト貫通して結合させる構成（特許文献４）が示されているが、可動する補助部材については、なんら示されていない。
【００７９】
本発明にては、ワイヤーコース・ハンガーレール・ランナー等で構成された「可動する補助部材」を含む「可動補助手段」で、障子を可動（窓を開閉）できる、という通常時に当然に必要とされる機能が確実に確保される。
【００８０】
そして、大地震など非常時には、「可動する補助部材」を含む「可動補助手段」によって、障子の外れが確実に阻止され、さらに、上枠結合部材（Ｋ）を介して既設の建造物の支柱につながっているので、窓枠全体および障子の万全な落下防止策となっている。
【００８１】
最後に、連段窓の方立に結合された方立結合部材（Ｈ）をさらに有し、上枠結合部材（Ｋ）と方立結合部材（Ｈ）、または、無目結合部材（Ｍ）と方立結合部材（Ｈ）で、連段窓を構成する窓枠の上枠と縦枠の一方、または、上枠と縦枠の両方を補強している、という本発明の補強について説明する（図２２・図２３）。
【００８２】
連段窓は、多くの窓枠が一体化された厚みが相対的に小さい面状の構造体である。しかも、その面積は通常の窓枠より格段に大きい。そのため、面に垂直にかかる力に対して弱く、変形して破壊するおそれがある。
【００８３】
それで、連段窓の方立、無目を補強することが必要であると考え、連段窓を構成する窓枠を、上枠結合部材（Ｋ）と方立結合部材（Ｈ）、または、無目結合部材（Ｍ）と方立結合部材（Ｈ）で鳥居型に囲み、変形・破壊されないように補強した。
【００８４】
無目結合部材（Ｍ）と方立結合部材（Ｈ）は、長尺の形鋼または押出成形される長尺アルミ成形品を用いるのが好適で、これらの長尺材を、方立・無目の長手方向に並列に結合して、添え木状に補強するものである。
【００８５】
無目結合部材（Ｍ）については、それ自体が短尺でも、前記の上吊り式レール（Ｙ１）が長尺で、無目結合部材（Ｍ）に結合して無目を長手方向に補強する機能を果たせばそれでもよい。もちろん、長尺の上吊り式レール（Ｙ１）自体が無目結合部材（Ｍ）として、連段窓の無目に直接結合されていてもよい。
【００８６】
図２２が、部材Ｋ・部材Ｍ・部材Ｈで連段窓を構成する窓枠を鳥居型に囲んで補強していることの説明図で、図２３が、図２２中のa-a’断面であって、既設の方立の部材（ｈ）に結合された方立結合部材（Ｈ）の断面を示す。
【００８７】
図２３は、方立結合部材（Ｈ）が、既設の方立の部材（ｈ）に直接結合して補強するコの字型の長尺スチール曲物、および、それを逆コの字型にカバーする長尺アルミ材とからなる例を示したものである。もちろんこれに限定されるものではなく、既設の方立に長手方向に並列に結合して、これを添え木状に補強する機能が満たされればよい。
【発明の効果】
【００８８】
本発明は、連段窓の上枠上部の躯体との結合部に破断があったとしても、連段窓の上枠を支柱（１）にやや斜行ながら支持させ、とにかく連段窓が落下することを避ける、という効果を得るものである。
【００８９】
そして、ワイヤーコース・ハンガーレール・ランナー等で構成された「可動する補助部材」を含む「可動補助手段」で、障子を可動（窓を開閉）できる、という通常時の必要機能を確保しつつ、大地震など非常時には、これらで、障子の外れを確実に阻止し、かつ、上枠結合部材（Ｋ）を介して既設の建造物の支柱につながっているので、障子についても万全な落下防止策となっている。
【００９０】
また、連段窓の方立に結合された方立結合部材（Ｈ）をさらに有し、上枠結合部材（Ｋ）と方立結合部材（Ｈ）、または、無目結合部材（Ｍ）と方立結合部材（Ｈ）で、連段窓を構成する窓枠の上枠と縦枠の一方、または、上枠と縦枠の両方を補強し、窓枠の分離を防止した。そのことで、連段窓を構成する個々の窓枠が分離され、分離された窓枠が落下する危険も回避した。
【００９１】
このように、連段窓の上枠を構造物の支柱にも付加的に支持させ、さらに、個々の窓枠への分離も回避する、という二重の対策をして、窓枠落下で受傷する危険防止、ならびに、避難所として利用される場所にガラスが飛散された状態となって、避難所の機能を損なうことを回避できるという効果を得ることができる。
【図面の簡単な説明】
【００９２】
【図１】体育館のような建造物高所の連段窓が落下する説明図。
【図２】従来の連段窓上部の破断が起きやすいことの説明図。
【図３】支柱結合部材第一態様の構成図。
【図４】支柱結合部材第二態様の構成図。
【図５】図４の構成のイメージ図。
【図６】図５の構成でＢ３をワイヤーロープとしたイメージ図。
【図７】既存設置金物利用の実施例図。
【図８】本発明裝置の施工現場を撮影した写真例（その１）。
【図９】本発明裝置の施工現場を撮影した写真例（その２）。
【図１０】図４の構成に障子の落下防止を付加した態様の説明図。
【図１１】図６の裝置の構成図。
【図１２】図１１の構成にＳ１の落下防止を加えた態様の説明図。
【図１３】図１１の構成にＳ２の落下防止を加えた態様の説明図。
【図１４】ＷＳ１・ＷＳ２を窓の外側とした配設例図。
【図１５】Ｙ１とＹ２（上吊りレールと戸車）を可動補助手段としたＫ・ＭとＷＳとの結合の説明図。
【図１６】支柱結合の第三態様のイメージ図。
【図１７】板体Ｚを連結部材としたイメージ図。
【図１８】Ｘ１とＸ２（ワイヤーとワイヤーコース）を可動補助手段としたＫ・ＭとＷＳとの結合の説明図。
【図１９】可動補助手段Ｘ１〜Ｘ３、Ｙ１・Ｙ２の説明図。
【図２０】可動補助手段Ｙ１・Ｙ２の配設例でＷＳを窓の内側としたもの。
【図２１】連結かんＺ１を連結補助部材とした例図でＷＳ１・ＷＳ２を窓の内側としたもの。
【図２２】部材Ｋ・部材Ｍ・部材Ｈによる連段窓を構成する窓枠を鳥居型に囲んで補強することの説明図。
【図２３】方立を含む断面図（図２２のa-a’断面）であり、既設の方立の部材ｈに結合された部材Ｈの説明図。
【符号の説明】
【００９３】
１  建造物の支柱
２  建造物の支柱間にある連段窓
Ｂ  建造物の隣接したふたつの支柱に結合された支柱結合部材で、Ｂ１、Ｂ２、Ｂ３で構成してもよい。
Ｂ１  建造物のひとつの支柱に結合する第一の支柱結合部材
Ｂ２  建造物の他の支柱に結合する第二の支柱結合部材
Ｂ３  Ｂ１とＢ２とを連結する部材
Ｂ３０  Ｂ３をワイヤーロープとしたもの
Ｂ４  建造物の隣接したふたつの支柱に結合された支柱結合部材
Ｂ５  ＬまたはＬＳを通貫するための孔を有するＢ４に結合された部材
Ｊ  ＢとＫを連結する連結部材
Ｈ  連段窓の方立に結合された方立結合部材
ｈ  既設の方立の部材
Ｋ  連段窓の上枠上部に結合された上枠結合部材
Ｌ  紐体の連結部材
ＬＳ  障子の命綱となる紐体
Ｍ  連段窓の無目に結合された無目結合部材
Ｎ  連段窓の縦枠に結合された縦枠補強部材
Ｓ  連段窓を構成する窓枠の中にある障子
Ｓ１  連段窓の上段の窓枠の中にある障子
Ｓ２  連段窓の下段の窓枠の中にある障子
Ｔ  無目の結合部
ＴＸ  Ｔに懸架されＳ２上部に張られたワイヤーロープ
ＷＳ  障子Ｓの上部に結合する障子結合部材
ＷＳ１  Ｓ１に結合する障子結合部材
ＷＳ２  Ｓ２に結合する障子結合部材
Ｘ１  障子Ｓの開閉長さで障子Ｓの開閉方向に固定した紐体（ワイヤー）  
Ｘ２  可動する補助部材であって、Ｘ１に懸架されて摺動する部材（ワイヤーコース）
Ｘ３  Ｘ２でＸ１に懸架されて窓枠内の窓を開閉する方向に可動するワイヤー
Ｙ１  障子Ｓの開閉長さで障子Ｓの開閉方向に固定した上吊り式レール
Ｙ２  可動する補助部材であって、Ｙ１に懸架されて窓枠内の窓を開閉する方向に転動するランナー（戸車）
Ｚ  板体である連結部材、たとえば金属の板状部材
Ｚ１  連結かんである連結部材
Ｚ２  環状の連結補助部材
【要約】
【課題】  連段窓の全体が落下するのを防止する装置と施工法の提案を課題とした。
【解決手段】  既設の建造物の隣接したふたつの支柱に結合した部材（Ｂ）と連段窓の上枠に結合して部材（Ｋ）とを連結し、かつ、連段窓の窓枠内の障子も、窓枠内の窓を開閉する方向に可動する補助部材を介して前記部材（Ｋ）と結合して、連段窓の窓枠も障子も落下しないようにした。さらに、連段窓の方立に部材（Ｈ）と連段窓の無目に部材（Ｍ）を配設し、部材（Ｈ）・部材（Ｍ）・部材（Ｋ）で、連段窓を構成する窓枠を鳥居型に囲んで補強し、窓枠の分離を防止した。
【選択図】  図１９【図１】
0005782620.tif 000002
【図２】
0005782620.tif 000003
【図３】
0005782620.tif 000004
【図４】
0005782620.tif 000005
【図５】
0005782620.tif 000006
【図６】
0005782620.tif 000007
【図７】
0005782620.tif 000008
【図８】
0005782620.tif 000009
【図９】
0005782620.tif 000010
【図１０】
0005782620.tif 000011
【図１１】
0005782620.tif 000012
【図１２】
0005782620.tif 000013
【図１３】
0005782620.tif 000014
【図１４】
0005782620.tif 000015
【図１５】
0005782620.tif 000016
【図１６】
0005782620.tif 000017
【図１７】
0005782620.tif 000018
【図１８】
0005782620.tif 000019
【図１９】
0005782620.tif 000020
【図２０】
0005782620.tif 000021
【図２１】
0005782620.tif 000022
【図２２】
0005782620.tif 000023
【図２３】
0005782620.tif 000024